(57)【要約】【課題】  リール操作時に釣人が違和感を覚えないリールシートを提供する。  【解決手段】  このリールシート１０は、釣用リールＲの脚部を係止して釣用リールＲを元竿１に装着するための部分である。リールシート１０は、略円筒型の本体部１１と、ナット部１２と、ナット部１２の竿元側に周方向に回転不能に連結される移動フード部１３とを有する。本体部１１の穂先側は小径化しておりネジ部１１ｂとなっている。そして、移動フード部１３はこのネジ部１１ｂ上を軸方向に移動する。この移動フード部１３と本体部１１の太径部分との間には弾性体からなる埋体１４が配置され、両者の間の隙間を埋めている。【選択図】  図２
2005198588.tif 000002
【特許請求の範囲】
【請求項１】
釣竿の竿体の周面に設けられたリールを脱着自在に装着するためのリールシートであって、
リール脚部を載置する載置面と前記載置面の一端に形成されたリール脚部の一端を係止可能な固定フードとを有し前記竿体の周面に装着されている本体部と、
前記固定フードの反対方向に於いて前記本体部に隣接する前記竿体の周面に装着されたネジ部と、
前記ネジ部に螺合し前記ネジ部上を軸方向に移動自在なナット部と、
前記ナット部に連結され前記ネジ部上を軸方向に移動自在であり前記リールの他端を係止可能な移動フード部と、
前記本体部とナット部及び移動フード部との間に配置され両者の隙間を埋める弾性体からなる埋体とを備えた、リールシート。
【請求項２】
前記本体部は、前記載置面及び固定フードが設けられた太径部分と、前記固定フードの反対方向に於いて前記太径部分に連続する小径部分とを有し、前記小径部分の周面にねじ溝が形成され前記小径部分がネジ部であり、
前記埋体は、前記本体部の太径部分と前記ナット部及び移動フード部とに挟持されている、請求項１に記載のリールシート。
【請求項３】
前記埋体はパイプを軸方向に半割にした形状であり、
前記本体部のリール載置面と周方向の反対側面においては、前記本体部と前記カバーとは面一化している、請求項１又は２に記載のリールシート。
【発明の詳細な説明】
【技術分野】
【０００１】
本発明は、釣竿の竿体の周面にリールを脱着自在に装着するためのリールシートに関する。特に、ナット式と呼ばれるタイプのリールシートに関する。
【背景技術】
【０００２】
釣竿の手元側に位置する竿体の周面には、スピニングリール，両軸受けリール等の釣用リールを取り付けるためのリールシートが設けられている。リールシートには種々のタイプがあるが、その中の１種類であるナット式と呼ばれるリールシートは、以下のような構造を有する。即ち、この種のリールシートは、釣用リールの脚部の一端を係止する固定フードと雄ネジ部とを有する本体部と、ナット部及び移動フード部とを有している。この移動フード部はリールの脚部の他端を係止する部分であり、ナット部に連結されており、シート本体に対して相対移動可能である。ナット部は雄ネジ部に螺合して移動フード部を移動させる。このようなリールシートでは、リールの脚部の一端を本体部の固定フードに係止した状態でナット部を回転させて、移動フード部を固定フードに接近させて、移動フードでリールの脚部の他端を係止する。そして、固定フード及び移動フードでリールの脚部を挟持してリールを釣竿に固定する（例えば、特許文献１参照）。
【０００３】
しかし、ナット式のリールシートでは、固定フードと移動フードとの間にリールの脚部を挟み込むため、リールの脚部をリールシートに固定した際に、固定フードを有する本体部と移動フードとの間に隙間が生じる。即ち、移動フード部の軸方向移動可能な領域を確保するために、移動フード部と本体部とは完全には当接しないのである。
【０００４】
このようなリールシートを有する釣竿においては、釣人がリールシート付近を一方の手で把持し、他方の手でリール操作をすることが多い。このため、上述のような隙間が生じていると、リール操作時に釣人が違和感を覚えることがある。また、このような隙間はゴミやほこり等の雄ネジ部分への入り込みをも助長することになる。
【特許文献１】特開平10-052195公報
【発明の開示】
【発明が解決しようとする課題】
【０００５】
本発明は、上記問題点に鑑み、釣人が把持して釣り操作を行う際に違和感を覚えず操作し易いリールシートを提供するものである。
【課題を解決するための手段】
【０００６】
本発明のリールシートは、釣竿の竿体の周面に設けられたリールを脱着自在に装着するためのリールシートであって、リール脚部を載置する載置面と載置面の一端に形成されたリール脚部の一端を係止可能な固定フードとを有し竿体の周面に装着されている本体部と、固定フードの反対方向に於いて本体部に隣接する竿体の周面に装着されているネジ部と、ネジ部に螺合しネジ部上を軸方向に移動自在なナット部と、ナット部に連結されネジ部上を軸方向に移動自在でありリールの他端を係止可能な移動フード部と、本体部とナット部及び移動フード部との間に配置され両者の隙間を埋める弾性体からなる埋体とを備える。
【０００７】
このリールシートでは、本体部の載置面上にリールの脚部を載せつつそのリール脚部の一端を固定フードに係止する。この状態で、ナット部をネジ部上で回動させ、ナット部及び移動フード部を本体部側に近寄せ、移動フード部でリールの脚部の他端を係止し、移動フード部と固定フードでリールの脚部を挟持する。この際、ナット部及び移動フード部と本体部との間に配置された弾性を有する埋体は、移動フード部等の軸方向移動に伴って伸縮しつつ両者の隙間を埋める。この埋体は、例えば、本体部及び／又は移動フード部に接着剤等によって接着されていてもよい。若しくは、埋体は単に両者の間に挟持されるだけでもよい。
【０００８】
ここで、本体部は、載置面及び固定フードが設けられた太径部分と、固定フードの反対方向に於いて太径部分に連続する小径部分とを有し、小径部分の周面にねじ溝が形成され小径部分がネジ部であるようにしてもよい。この場合、埋体は、本体部の太径部分とナット部及び移動フード部とに挟持される。
【０００９】
また、埋体はパイプを軸方向に半割にした形状であり、本体部のリール載置面と周方向の反対側面においては、本体部と埋体とを面一化させてもよい。さらに、本体部の断面形状にあわせて埋体をリング状に形成してもよい。
【発明の効果】
【００１０】
本発明のリールシートを釣竿に適用すれば、釣人が把持して釣り操作を行う際に違和感を覚えず操作し易い。また、不要なゴミ等がリールシートに付着し溜まり難い。
【発明を実施するための最良の形態】
【００１１】
［第１実施形態］
以下、本発明の第１の実施形態について、図面を参照しつつ説明する。
【００１２】
本発明の１つの実施形態を採用したリールシート１０を有する釣竿は、図１に示すように、複数の竿体を振出形式若しくは並継形式などの手法によって連結して構成されている。もっとも、竿体の本数は任意であり、一本の竿体からのみなる一本竿に本発明を適用することも妨げられない。ここで例示する釣竿は、元竿１と元竿１の穂先側に連結される穂先竿２との２本を連結してなるものである。
【００１３】
この元竿１は先細りテーパの施された管状体である。例えば、炭素繊維などを引き揃えた上で合成樹脂を含浸させたプリプレグ素材を焼成して形成される。元竿１は、その竿元側の周面に配置されるリアグリップ３と、リアグリップ３の穂先側の周面に配置されるリールシート１０と、リールシート１０の穂先側の周面に配置されるフロントグリップ４とを有する。さらに、元竿１の穂先側の周面には、リールシート１０に装着したリールＲからの釣糸を案内するための釣糸ガイド４が装着されている。また、リアグリップ３及びフロントグリップ４はポリウレタン等の合成樹脂素材やコルク材等から構成される円筒型の部材である。釣人が把持するための部分である。軸長方向に貫通する貫通孔が形成され、元竿１の軸長方向の所定に位置に配置され接着剤等によって固定されている。釣糸ガイド５はセラミックス等の硬質リングを有する釣糸を案内するための部材である。
【００１４】
穂先竿２は、元竿１と同様に先細りテーパの施された管状体である。もっとも、穂先竿２は中実のソリッド体を利用することも可能である。この穂先竿２は元竿１の穂先側に連結され、一本の釣竿となる。穂先竿２の穂先側端部にはトップガイド６が装着され、その余の周面にも軸方向に間隔を隔てて複数の釣糸ガイド７が装着されている。
【００１５】
図２に、リールシート１０付近の拡大図を示す。
このリールシート１０は、釣用リールＲの脚部を係止して釣用リールＲを元竿１に装着するための部分である。詳しくは、リールシート１０は、略円筒型の本体部１１と、ナット部１２と、ナット部１２の竿元側に周方向に回転不能に連結される移動フード部１３とを有する。そして、移動フード部１３の竿元側には埋体１４が配置される。
【００１６】
本体部１１はその軸方向に元竿１が貫通するための貫通孔が形成された略筒状型の部材である。竿元側は一段太径の太径部分であり、穂先側は太径部分に比較して小径化している小径部分である。太径部分の周方向の一部は平面化されており、この平面がリールＲの脚部を載置するための載置面である。載置面の竿元側の端部は載置面を覆うようなフード状に加工されており、載置面に載置されたリールＲの脚部の一部を収納して係止する固定フード１１ａとなっている。小径部分はその周面に雄ねじが形成されたネジ部１１ｂとなっている。ネジ部１１ｂには、左右においって軸方向に延びる一対のレール溝１５が形成されている。
【００１７】
ナット部１２は上述の本体部１１のネジ部１１ｂに螺合しており周方向に回動しつつネジ部１１ｂ上を軸方向に移動する。このナット部１２に対して相互に相対回転自在に移動フード部１３が連結されている。移動フード部１３は竿元側にリールＲの脚部の他端を覆うようなフード状の部分を有し、また、その内周面に上述のレール溝１５に噛み合う突起を有する（図示せず）。そして、移動フード部１３は、それ自体は本体部１１に対して周方向に回転することなく、ナット部１２と共に軸方向に移動する。
【００１８】
埋体１４は、図３に詳しく示すように、断面Ｕ字型の弾性体である。例えば、ネオプレンゴム，ポリウレタンゴム，イソプレンゴム，シリコンゴム，NBRなどのゴム素材若しくはスポンジ材，コルク材などから構成され、軸方向にも伸縮自在である。この埋体１４は、図２に示すように、本体部１１の小径部分であるネジ部１１ｂの竿元側に配置され、本体部１１の太径部分と移動フード部１３との間に介在する。そして、埋体１４は、本体部１１の載置面と周方向の反対側から、載置面上に配置されるリールＲの脚部を阻害しないようにネジ部１１ｂを覆う。この埋体１４は、例えば、その竿元側端面を本体部１１の太径部分の穂先側端面に接着固定してもよいが、その弾性によりネジ部１１ｂを掴むようにして脱着自在にネジ部１１ｂに取り付けて於いても良い。若しくは、埋体１４は移動フード１３と本体部１１の太径部分とに挟まれて挟持されるものとしてもよい。なお、埋体１４の形状は、可及的にその外径を本体部１１の太径部分及び移動フード部１３に合致させるのが好ましい。即ち、本体部１１の太径部分と埋体１４と移動フード部１３とにおいて、その外径が連続し統一化するようにする。
【００１９】
この釣竿は、上述のように、元竿１の穂先側に穂先竿２を連結して一本の釣竿敏江用いられる。そして、リールシート１０にリールＲを装着し、リールＲから釣糸を各釣糸ガイドに案内して、釣人は釣りをおこなうことになる。リールシート１０へのリールＲの装着手法は、以下の通りである。図２に示すように、まず、本体部１１の載置面上にリールＲの脚部を載せつつそのリールＲの脚部の一端を固定フード１１ａに係止する。この状態で、ナット部１２をネジ部１１ｂ上で回動させ、ナット部１２及び移動フード部１３を本体部１１側に近寄せ、移動フード部１３でリールＲの脚部の他端を係止し、移動フード部１３と固定フード１１ａでリールＲの脚部を挟持する。この際、ナット部の竿元側の移動フード部１３と本体部１１の太径部分との間に配置された埋体１４は、移動フード部１３等の軸方向移動に伴って伸縮しつつ両者の隙間を埋めている。
【００２０】
釣人がリールシート１０付近を一方の手で把持しつつリール操作を行う際にも、この埋体１４により、移動フード部１３と本体部１１の太径部分との間の隙間が解消され、釣人は違和感なくリール操作を為し得ることになる。また、移動フード部１３と本体部１１の太径部分との間にゴミが溜まってしまうようなこともない。
【００２１】
［他の実施形態］
（ａ）上記実施形態においては、ネジ部を本体部と一体化したものを示しているが、両者は別体でもよい。
（ｂ）固定フードと移動フード部の軸方向の配置はこれを逆にすることも妨げない。
（ｃ）図４に示すリールシート２０のように、埋体２４を本体部２１の太径部分の断面形状にあわせてリング状に弾性体から加工してもよい。埋体２４は本体部２１の太径部分と同様に、周方向の一部が平面化されており、この平面化された部分は本体部２１の載置面に連続する。
【００２２】
また、このリールシート２０では、本体部２１の太径部分と小径部分との間にさらに小径部分より一段小径化したネック部分２１ｃを形成している。このネック部分２１ｃに所定のリング形状に加工した埋体２４を本体部２１の穂先側からその弾性を利用して配置する。このような所定のリング状の埋体２４を利用すれば、さらに、釣人がリールシート２０付近を把持した際の違和感の発生が少なくなる。
【００２３】
本発明のリールシートは、釣人がこれを把持しリール操作を行う際にも違和感を釣人に与えない。
【図面の簡単な説明】
【００２４】
【図１】本発明の第１実施形態を採用した釣竿の全体を示した図。
【図２】図１のリールシート１０付近を示した図。
【図３】図１のリールシート１０の埋体１４を示した図。
【図４】他の実施形態を採用するリールシート２０を示した図。
【符号の説明】
【００２５】
１  元竿
２  穂先竿
１０  リールシート
１１  本体部
１１ａ  固定フード
１１ｂ  ネジ部（小径部分）
１２  ナット部
１３  移動フード部
【図１】
2005198588.tif 000003
【図２】
2005198588.tif 000004
【図３】
2005198588.tif 000005
【図４】
2005198588.tif 000006